(57)【要約】【課題】トレイに収納される種々のサイズのシート体に対応し、シート体を収納する包装袋に記録されたシート体の情報を読み取ることができる簡易な構成からなるシート体供給機構を提供する。【解決手段】バーコードリーダ８０をガイドレール４４ａ寄りの部位に配置した状態で、六切サイズの包装体１２を取手部４６およびガイドレール４４ａ側を基準としてトレイ３６に収納し、遮光袋１４に添付したバーコードラベル２２をバーコードリーダ８０によって読み取ることでロット情報、感度特性情報を取得した後、枚葉する。【選択図】図５
2004091186.tif 000002
【特許請求の範囲】
【請求項１】
包装袋に収納されて供給されるサイズの異なるシート体を保持可能なトレイと、
前記トレイの底面部に形成された開口部に臨む位置に配設され、前記包装袋に記録された前記シート体に係る情報を前記開口部を介して読み取る情報読取部と、
前記シート体を前記トレイの上面部から取り出すシート体取出部と、
を備え、
前記シート体は、前記トレイの収納部を構成する第１側面と、前記第１側面に直交して隣接する第２側面とを基準として収納され、
前記情報は、前記第１側面および前記第２側面を基準とする前記包装袋に記録され、
前記情報読取部は、前記第１側面および前記第２側面を基準とし、前記情報の記録位置に対応して配置されることを特徴とするシート体供給機構。
【請求項２】
請求項１記載の機構において、
前記トレイ、前記情報読取部および前記シート体取出部は、上下に複数段配設され、
前記情報読取部は、前記第１側面および前記第２側面から離間する部位に配置され、
前記シート体取出部は、前記第１側面および前記第２側面に近接する部位に配置されることを特徴とするシート体供給機構。
【請求項３】
請求項２記載の機構において、
前記情報読取部は、前記シート体のサイズに応じて、前記トレイの底面部側に配設される前記包装袋の合わせ部に干渉しない位置に移載可能であることを特徴とするシート体供給機構。
【発明の詳細な説明】
【０００１】
【発明の属する技術分野】
本発明は、サイズの異なるシート体に係る情報を読み取って供給するシート体供給機構に関する。
【０００２】
【従来の技術】
例えば、シート状の感光材料を供給し、その感光材料に対して画像を形成する画像記録装置がある。このような画像記録装置では、感光材料を入れ替えた際、その感度特性がロット毎に異なることがあり、あるいは、種類の異なる感光材料に入れ替えることもあるため、画像の形成に先だって感度特性を設定し、感度補正を実施する必要がある。この場合、オペレータによる感度特性の設定作業は、非常に煩わしいものである。また、設定作業を忘失してしまうと、高精度な画像を形成することができなくなってしまう。
【０００３】
そこで、例えば、特許文献１に開示された従来技術では、感光材料を収納する包装部材に感度特性情報を記録したバーコードシールを添付しておき、この包装部材が画像形成装置に装填された際、バーコードシールを装置内に配置した読取センサを用いて読み取ることで感度特性情報を取得するようにしている。この場合、画像形成装置では、自動的に取得した感度特性情報に従い、感光材料に記録する画像情報の感度補正を行うことが可能となる。
【０００４】
【特許文献１】
特開２０００−２９２８９８号公報（図３）
【０００５】
【発明が解決しようとする課題】
ところで、画像形成装置に供給されるシート状の感光材料には、通常、種々のサイズのものがあるため、サイズによってバーコードシールの添付されている部位が異なると、装置内の読取センサにより感度特性情報を正しく読み取ることができなくなるおそれがある。
【０００６】
このような問題に対処するためには、例えば、感光材料のサイズに応じて読取センサの位置を移動させる機構を設けることが考えられるが、装置構成が複雑になるだけでなく、読取センサの移動に先だって感光材料のサイズを設定する必要が生じる。
【０００７】
また、感光材料を収納するトレイに対して、感光材料を枚葉する部分とは別に、各サイズ毎のバーコードシールの添付位置に対応した十分に大きな開口部を設けておかなければならない。この場合、トレイに収納されている感光材料に対する遮光性の問題が懸念される。
【０００８】
本発明は、前記の不具合を解消するためになされたものであって、トレイに収納される種々のサイズのシート体に対応し、シート体を収納する包装袋に記録されたシート体の情報を読み取ることができる簡易な構成からなるシート体供給機構を提供することを目的とする。
【０００９】
【課題を解決するための手段】
本発明は、包装袋に収納されて供給されるサイズの異なるシート体を保持可能なトレイと、
前記トレイの底面部に形成された開口部に臨む位置に配設され、前記包装袋に記録された前記シート体に係る情報を前記開口部を介して読み取る情報読取部と、
前記シート体を前記トレイの上面部から取り出すシート体取出部と、
を備え、
前記シート体は、前記トレイの収納部を構成する第１側面と、前記第１側面に直交して隣接する第２側面とを基準として収納され、
前記情報は、前記第１側面および前記第２側面を基準とする前記包装袋に記録され、
前記情報読取部は、前記第１側面および前記第２側面を基準とし、前記情報の記録位置に対応して配置されることを特徴とする。
【００１０】
この場合、シート体のトレイに対する収納位置を第１側面およびそれに直交して隣接する第２側面を基準とし、それに対応してシート体の包装袋における情報の記録位置と、情報読取部の配置とを設定することにより、シート体のサイズによらず、一定位置から情報の読み取りを行うことができる。
【００１１】
なお、トレイ、情報読取部およびシート体取出部が上下に複数段配設される場合には、情報読取部とシート体取出部とを干渉しないように離間して配置する。この場合、情報読取部は、さらに、情報を記録しない包装袋の合わせ部に対して干渉しない位置に移載可能に構成すると好適である。
【００１２】
【発明の実施の形態】
図１は、本発明のシート体供給機構が適用される画像記録装置１０を示す。画像記録装置１０は、図２および図３に示す形態からなる複数の包装体１２を装填可能なトレイ３６、３８、４０を有する。
【００１３】
ここで、包装体１２は、積層した複数の感光材料であるフイルムＦ（シート体）を当て紙１６によって保持し、遮光袋１４（包装袋）に収納して構成される。遮光袋１４は、一方の面の中央部を合わせて熱処理することで、フイルムＦを光密に保持する。遮光袋１４の両端部には、ヒレ部１８ａ、１８ｂが形成される。遮光袋１４の合わせ部２０が形成された面のうち、合わせ部２０側の面から見た左側のヒレ部１８ａ寄りの部位には、当該遮光袋１４に収納されているフイルムＦのロット情報、感度特性情報等が記録されたバーコードからなるバーコードラベル２２が添付される。なお、バーコードラベル２２を用いる代わりに、バーコードを直接遮光袋１４に印刷により記録してもよい。また、バーコード以外の情報記録媒体、例えば、ＩＣチップやＲＦ−ＩＤ（Ｒａｄｉｏ　　Ｆｒｅｑｕｅｎｃｙ−ＩＤｅｎｔｉｆｉｃａｔｉｏｎ）を用いて記録することもできる。
【００１４】
各トレイ３６、３８、４０は、両側部にフランジ部４２ａ、４２ｂを有し、画像記録装置１０内に配設されたガイドレール４４ａ、４４ｂを介して引き出しあるいは装填可能に構成される。トレイ３６、３８、４０は、図４に示すように、画像記録装置１０の手前側に配設される取手部４６を有する。サイズの異なる種々の包装体１２が収納されるトレイ３６、３８、４０の収納部４８のうち、取手部４６側の部位には、画像記録装置１０内の図示しないローラと協働して包装体１２のヒレ部１８ａを挟持するしごきローラ５０ａ、５０ｂが配設される。
【００１５】
トレイ３６、３８、４０の収納部４８には、収納される包装体１２のサイズに応じた位置に、フランジ部４２ａ側から位置決めピン５２ａ〜５２ｇが夫々配設される。また、収納部４８には、包装体１２のサイズに応じて、取手部４６側から位置決め板５４ａ〜５４ｃが夫々配設される。
【００１６】
この場合、しごきローラ５０ａ、位置決めピン５２ａ、５２ｂ、位置決め板５４ａ、位置決めピン５２ｄ、５２ｅによって囲繞される収納部４８には、六切サイズのフイルムＦが収納される。しごきローラ５０ａ、位置決めピン５２ａ〜５２ｃ、位置決め板５４ｂ、位置決めピン５２ｄ、５２ｅによって囲繞される収納部４８には、四切サイズのフイルムＦが収納される。しごきローラ５０ａ、５０ｂ、位置決めピン５２ａ〜５２ｃ、位置決め板５４ｃ、位置決めピン５２ｆ、５２ｇによって囲繞される収納部４８には、大角サイズのフイルムＦが収納される。しごきローラ５０ａ、５０ｂ、位置決めピン５２ａ〜５２ｃ、位置決め板５４ｃ、フランジ部４２ｂ側の側板によって囲繞される収納部４８には、半切サイズのフイルムＦが収納される。
【００１７】
トレイ３６、３８、４０を構成する側板４３ａ〜４３ｃには、上縁側に沿って連通する溝部４５が形成される。また、取手部４６には、スリット４７が形成される。これらのスリット４７および溝部４５に対して、取手部４６側からシャッタ板４９が挿入されることにより、トレイ３６、３８、４０の開口部が閉塞可能である。
【００１８】
収納部４８の六切サイズのフイルムＦが収納される部位中央から位置決めピン５２ｄ、５２ｅ間を介して位置決めピン５２ｆ、５２ｇに至るトレイ３６、３８、４０の底面部には、略長方形状の開口部５６、５８、６０が形成される。なお、開口部５６、５８、６０には、必要に応じて開閉可能なシャッタ板が装着される。
【００１９】
一方、画像記録装置１０に装填される各トレイ３６、３８、４０の上下には、隔壁６１、６２、６４、６６が配置されており、これらの隔壁６１、６２、６４、６６によって各トレイ３６、３８、４０が隔離される。隔壁６２、６４、６６には、トレイ３６、３８、４０の底面部に形成された開口部５６、５８、６０の位置に対応して開口部６８、７０、７２が形成される。開口部６８、７０、７２には、収納部７４、７６、７８が連設しており、各収納部７４、７６、７８には、包装体１２に添付されたバーコードラベル２２のバーコードを読み取るバーコードリーダ８０、８２、８４（情報読取部）が夫々配設される。なお、バーコードリーダ８０、８２、８４は、トレイ３６、３８、４０に収納されるフイルムＦのサイズに応じた２つの位置Ａ１またはＡ２のいずれかに選択的に配設することができる。
【００２０】
画像記録装置１０に装填されたトレイ３６、３８、４０の上部には、フイルムＦを枚葉するための吸着盤８６、８８、９０と、吸着盤８６、８８、９０によって枚葉されたフイルムＦを挟持して搬送するニップローラ９２、９４、９６が配設される。これらの吸着盤８６、８８、９０およびニップローラ９２、９４、９６は、シート体取出部を構成する。
【００２１】
最上部のトレイ３６の上部には、搬送路９８を介して画像記録部１００が配設される。画像記録部１００は、一対のローラ１０２ａ、１０２ｂと、これらのローラ１０２ａ、１０２ｂが当接することでフイルムＦの記録面を位置決めするプレート１０４とを備える。ローラ１０２ａ、１０２ｂ間には、画像記録部１００の上部に配設されたレーザビーム走査部１０６からレーザビームＬが導かれる。なお、レーザビームＬは、放射線画像情報に基づいて変調されることで、フイルムＦに潜像からなる放射線画像情報を記録する。
【００２２】
画像記録部１００の下流側には、放射線画像情報の記録されたフイルムＦを加熱することで潜像を顕像に変換する熱現像部１０８が配設される。熱現像部１０８は、フイルムＦを搬送する複数のローラ１１０と、複数のローラ１１０に沿って湾曲形成され、搬送中のフイルムＦを加熱するプレートヒータ１１２ａ〜１１２ｃと、複数のローラ１１０を回転駆動する歯車１１４とを有する。
【００２３】
画像記録装置１０の最上部には、熱現像部１０８に連設して冷却部１１６が配設される。冷却部１１６によって冷却されたフイルムＦは、画像記録装置１０の上面部である排出部１１８に排出される。
【００２４】
本実施形態の画像記録装置１０は、基本的には、以上のように構成されるものであり、次に、その動作について説明する。
【００２５】
ここで、各段のトレイ３６、３８、４０およびバーコードリーダ８０、８２、８４は、以下のように設定されているものとする。すなわち、上段のトレイ３６は、位置決め板５４ａが装着されることで、最小サイズの六切の包装体１２が収納されるように設定されるとともに（図５参照）、トレイ３６の直下の隔壁６２に配設された収納部７４には、ガイドレール４４ａ側の位置Ａ１（図１参照）にバーコードリーダ８０が配設される。中段のトレイ３８は、位置決め板５４ａ、５４ｂと、位置決めピン５２ｄ、５２ｅとが取り外され、大角の包装体１２が収納されるように設定されるとともに（図６参照）、トレイ３８の直下の隔壁６４に配設された収納部７６には、ガイドレール４４ｂ側の位置Ａ２（図１参照）にバーコードリーダ８２が配設される。下段のトレイ４０は、位置決め板５４ａ、５４ｂと、位置決めピン５２ｄ〜５２ｇとが取り外され、半切サイズの包装体１２が収納されるように設定されるとともに（図７参照）、トレイ４０の直下の隔壁６６に配設された収納部７８には、ガイドレール４４ｂ側の位置Ａ２（図１参照）にバーコードリーダ８４が配設される。
【００２６】
なお、各段のトレイ３６、３８、４０と、それに収納される包装体１２のサイズとの関係は、任意に設定できることは勿論である。また、バーコードリーダ８０、８２、８４の配置は、その上部に配設されるトレイ３６、３８、４０に収納される包装体１２のサイズに応じて設定される。
【００２７】
先ず、上段のトレイ３６に六切サイズの包装体１２を収納する場合について説明する。
【００２８】
画像記録装置１０からトレイ３６を引き出した後、遮光袋１４に添付されたバーコードラベル２２を下にし、且つ、ヒレ部１８ａ側を手前として包装体１２をトレイ３６に収納する。この場合、図５に示すように、遮光袋１４内のフイルムＦは、しごきローラ５０ａ、位置決めピン５２ａ、５２ｂ、位置決め板５４ａおよび位置決めピン５２ｄ、５２ｅによって囲繞された範囲に位置決め収納される。また、遮光袋１４の一方のヒレ部１８ａは、しごきローラ５０ａを介してトレイ３６の外部に導出し、他方のヒレ部１８ｂは、位置決め板５４ａ上に載置する。このようにして包装体１２がトレイ３６に収納された状態において、遮光袋１４に添付されているバーコードラベル２２は、トレイ３６の底面部に形成した開口部５６に臨む位置に配置される。
【００２９】
次いで、遮光袋１４のヒレ部１８ｂ側を切除し、トレイ３６をガイドレール４４ａ、４４ｂを介して画像記録装置１０に装填する。このとき、トレイ３６の底面部の開口部５６に対して、隔壁６２の開口部６８が配置されることにより、収納部７４の位置Ａ１側に配設されたバーコードリーダ８０が遮光袋１４に添付されたバーコードラベル２２に対向する。そこで、バーコードリーダ８０は、バーコードラベル２２に記録されたバーコードを読み取り、装填されたフイルムＦのロット情報、感度特性情報等を取得する。
【００３０】
フイルムＦのロット情報、感度特性情報等が読み取られた後、作業者は、画像記録装置１０の外部に露出する遮光袋１４のヒレ部１８ａを手前に引き抜く。このとき、フイルムＦは、当て紙１６に保持された状態で画像記録装置１０内に開放される。
【００３１】
次に、トレイ３６の上部に配設された吸着盤８６が駆動され、トレイ３６に収納されている最上部のフイルムＦが吸着枚葉され、ニップローラ９２を介して搬送路９８に供給される。次いで、フイルムＦは、搬送路９８を介して画像記録部１００に供給され、ローラ１０２ａ、１０２ｂおよびプレート１０４によって副走査方向に挟持搬送されるとともに、レーザビーム走査部１０６からの放射線画像情報に応じて変調されたレーザビームＬが主走査方向に照射される。この場合、レーザビームＬは、包装体１２の遮光袋１４に添付されたバーコードラベル２２から得たロット情報、感度特性情報に従って補正され、潜像としての放射線画像がフイルムＦに２次元的に記録される。
【００３２】
放射線画像が記録されたフイルムＦは、熱現像部１０８において、ローラ１１０およびプレートヒータ１１２ａ〜１１２ｃにより挟持搬送され、プレートヒータ１１２ａ〜１１２ｃから付与される熱によって加熱現像され、潜像が顕像に変換される。顕像が記録されたフイルムＦは、冷却部１１６において冷却された後、排出部１１８に排出される。
【００３３】
次に、中段のトレイ３８に大角サイズの包装体１２を収納する場合について説明する。
【００３４】
画像記録装置１０からトレイ３８を引き出した後、遮光袋１４に添付されたバーコードラベル２２を下にし、且つ、ヒレ部１８ａ側を手前として包装体１２をトレイ３８に収納する。この場合、図６に示すように、遮光袋１４内のフイルムＦは、しごきローラ５０ａ、５０ｂ、位置決めピン５２ａ〜５２ｃ、位置決め板５４ｃおよび位置決めピン５２ｆ、５２ｇによって囲繞された範囲に位置決め収納される。また、遮光袋１４の一方のヒレ部１８ａは、しごきローラ５０ａ、５０ｂを介してトレイ３８の外部に導出し、他方のヒレ部１８ｂは、位置決め板５４ｃ上に載置する。このようにして包装体１２がトレイ３８に収納された状態において、遮光袋１４に添付されているバーコードラベル２２は、トレイ３８の底面部に形成した開口部５６に臨む位置に配置される。
【００３５】
次いで、遮光袋１４のヒレ部１８ｂ側を切除し、トレイ３８をガイドレール４４ａ、４４ｂを介して画像記録装置１０に装填する。このとき、トレイ３８の底面部の開口部５８に対して、隔壁６４の開口部７０が配置されることにより、収納部７６の位置Ａ２側に配設されたバーコードリーダ８２が遮光袋１４に添付されたバーコードラベル２２に対向する。そこで、バーコードリーダ８２は、バーコードラベル２２に記録されたバーコードを読み取り、装填されたフイルムＦのロット情報、感度特性情報等を取得する。
【００３６】
フイルムＦのロット情報、感度特性情報等が読み取られた後、トレイ３６に収納されたフイルムＦの場合と同様にして、フイルムＦが枚葉されて画像記録部１００に供給され、取得したロット情報、感度特性情報に従って補正されたレーザビームＬにより放射線画像の記録が行われる。
【００３７】
次に、下段のトレイ４０に半切サイズの包装体１２を収納する場合について説明する。
【００３８】
この場合、遮光袋１４内のフイルムＦは、図７に示すように、しごきローラ５０ａ、５０ｂ、位置決めピン５２ａ〜５２ｃ、位置決め板５４ｃおよびガイドレール４４ｂ側の側板４３ｂによって囲繞された範囲に位置決め収納される。以下、中段のトレイ３８に収納された大角サイズの包装体１２の場合と同様にして、位置Ａ２側に配設されたバーコードリーダ８４によってフイルムＦのロット情報、感度特性情報等が読み取られ、その情報に従って補正されたレーザビームＬにより放射線画像の記録が行われる。
【００３９】
以上説明したように、本実施形態では、サイズの異なる包装体１２を取手部４６側および側板４３ａ側の位置決めピン５２ａ〜５２ｃを基準としてトレイ３６、３８、４０に収納しているため、六切サイズおよび四切サイズの包装体１２に対しては、バーコードラベル２２をヒレ部１８ａ側の同じ位置に添付することにより、バーコードリーダ８０、８２、８４をガイドレール４４ａ、４４ｂの長手方向に対して共通となる位置Ａ１に配置してロット情報、感度特性情報等を読み取ることができる。
【００４０】
また、大角サイズおよび半切サイズの包装体１２に対しては、ヒレ部１８ａ側の位置を六切サイズおよび四切サイズに一致させてバーコードラベル２２を添付するとともに、遮光袋１４の合わせ部２０に干渉しないように側板４３ｂ寄りの所定部位にバーコードラベル２２を添付し、その位置に対応させてバーコードリーダ８０、８２、８４を位置Ａ２に変更して配置することにより、ロット情報、感度特性情報等を読み取ることができる。
【００４１】
このように、バーコードリーダ８０、８２、８４をガイドレール４４ａ、４４ｂと直交する方向の最大２個所に選択的に配置するだけで、包装体１２の種々のサイズに応じてバーコードラベル２２の読み取りを行うことができる。この場合、トレイ３６、３８、４０に形成した開口部５６、５８、６０のサイズは、バーコードリーダ８０、８２、８４の位置Ａ１およびＡ２に対応する必要最小限の大きさとすることができる。従って、トレイ３６、３８、４０に装填されているフイルムＦに対する遮光性を低下させることがなく、また、開口部５６、５８、６０の周縁部によってフイルムＦに傷が付いたり、枚葉動作に支障を来すといった不具合が発生することはない。
【００４２】
さらに、図５〜図７に示すように、遮光袋１４に添付されるバーコードラベル２２を合わせ部２０に対して側板４３ｂ側の部位に配置し、その位置に対応してバーコードリーダ８０、８２、８４を配置する一方、合わせ部２０に対して側板４３ａ側の位置に対応して吸着盤８６、８８、９０を配置することにより、図１に示すように、例えば、上段のトレイ３６に収納された包装体１２のバーコードラベル２２を読み取るバーコードリーダ８０と、中段のトレイ３８に収納された包装体１２からフイルムＦを枚葉する吸着盤８８およびニップローラ９４とが配置上干渉することがない。従って、トレイ３６、３８、４０を上下に近接して配置し、画像記録装置１０の上下方向に対するサイズを小さく構成することができる。
【００４３】
なお、バーコードリーダ８０、８２、８４と、吸着盤８６、８８、９０およびニップローラ９２、９４、９６とが干渉するおそれのない構成とできる場合には、バーコードラベル２２およびバーコードリーダ８０、８２、８４をともに側板４３ａ寄りの部位に配置することもできる。この場合、全てのサイズの包装体１２に対して、１個所に固定したバーコードリーダ８０、８２、８４を用いてロット情報、感度特性情報等の読み取りを行うことができる。また、トレイ３６、３８、４０の底面部に形成する開口部５６、５８、６０も小さくすることができる。
【００４４】
【発明の効果】
以上のように、本発明によれば、トレイに収納されるシート体のサイズによらず、情報読取部の位置を大きく移動させることなく、シート体の包装体に記録された情報を極めて簡易な構成で読み取って供給することができる。また、シート体のサイズに応じた情報読取部の移動を必要最小限にすることができるとともに、情報読取部とシート体取出部とが干渉しない範囲に配置することにより、複数段のトレイを上下にコンパクトに配置することができる。
【図面の簡単な説明】
【図１】本発明のシート体供給機構が適用される画像記録装置の構成図である。
【図２】図１に示す画像記録装置に装填される包装体の説明図である。
【図３】図１に示す画像記録装置に装填される包装体の背面構成図である。
【図４】図１に示す画像記録装置に装填される包装体を収納するトレイの斜視説明図である。
【図５】図４に示すトレイに対して六切サイズの包装体を収納した状態の平面説明図である。
【図６】図４に示すトレイに対して大角サイズの包装体を収納した状態の平面説明図である。
【図７】図４に示すトレイに対して半切サイズの包装体を収納した状態の平面説明図である。
【符号の説明】
１０…画像記録装置　　　　　　　　１２…包装体
１４…遮光袋　　　　　　　　　　　１８ａ、１８ｂ…ヒレ部
２０…合わせ部　　　　　　　　　　２２…バーコードラベル
３６、３８、４０…トレイ　　　　　４４ａ、４４ｂ…ガイドレール
４８、７４、７６、７８…収納部　　５０ａ、５０ｂ…しごきローラ
５２ａ〜５２ｇ…位置決めピン　　　５４ａ〜５４ｃ…位置決め板
５６、５８、６０、６８、７０、７２…開口部
６１、６２、６４、６６…隔壁　　　８０、８２、８４…バーコードリーダ
８６、８８、９０…吸着盤　　　　　９２、９４、９６…ニップローラ
１００…画像記録部　　　　　　　　１０６…レーザビーム走査部
１０８…熱現像部　　　　　　　　　１１６…冷却部
１１８…排出部　　　　　　　　　　Ｆ…フイルム
【図１】
2004091186.tif 000003
【図２】
2004091186.tif 000004
【図３】
2004091186.tif 000005
【図４】
2004091186.tif 000006
【図５】
2004091186.tif 000007
【図６】
2004091186.tif 000008
【図７】
2004091186.tif 000009